(57)【特許請求の範囲】
【請求項１】
略同一寸法を有する封書表紙片と封書裏紙片との間に、前記封書表紙片及び前記封書裏紙片よりも縦横寸法が小さなサイズを有する中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記中綴じ用紙片の一側端縁で接着された綴じ部により一体化されている冊子状送付物であって、
前記中綴じ用紙片には、前記一側端縁部と平行に形成された切り取り予定線により区分けされた葉書用紙片部が、前記綴じ部の反対側に設けられ、
前記葉書用紙片部は、該葉書用紙片部の略中央部に前記一側端縁部と平行に形成された折り畳み予定線により第１葉書用紙片部と第２葉書用紙片部に区分けされ、
前記第２葉書用紙片部の封書表紙片側の面の前記折り畳み予定線と反対側の端辺に沿って帯状に粘着剤１６が設けられ、更に、前記粘着剤１６が設けられていない領域には、バインダー成分と粘着性微球成分の混合からなる再剥離再貼付可能な粘着剤９が設けられ、前記粘着剤１６及び前記再剥離再貼付可能な粘着剤９の上側に、前記粘着剤１６と接触する領域にのみ剥離剤１７を設けた剥離紙が剥離可能に貼付され、
前記第１葉書用紙片部には、前記葉書用紙片部を前記折り畳み予定線から２つに折り畳んだ場合に、前記第２葉書用紙片部の前記折り畳み予定線と反対側の端辺に沿って帯状に設けられた粘着剤１６と重なる領域を間に挟んで両側の位置にハーフカットが形成され、
前記封書表紙片と前記封書裏紙片は、前記封書表紙片の三周縁部と、前記封書裏紙片の三周縁部と、が直接重なり合う部分において接着剤により接着され、更に、前記接着剤で接着されている三周縁部を切り取ることができる切り取り予定線が形成されていることを特徴とする冊子状送付物。
【請求項２】
前記バインダー成分が、アクリルエマルジョン型粘着剤からなり、前記粘着性微球成分が、微粒子状のメタアクリル酸エステルであることを特徴とする請求項１記載の冊子状送付物。
【発明の詳細な説明】
【技術分野】
【０００１】
本発明は、受取人において返信用の葉書を作成することができる葉書用紙が内蔵されている冊子状送付物に関する。
【背景技術】
【０００２】
従来、ダイレクトメールなどとして、商品やサービスの内容を記載した冊子が知られている。
例えば通信販売会社では、顧客に対して商品を紹介するために利用したり、また過去に製品を購入した顧客の購買情報に基づいて、その関連商品の販売促進を行うために冊子状のダイレクトメールを送ったりすることもある。
【０００３】
このようなダイレクトメールとして、従来、例えば圧着式のハガキ（参考文献１を参照。）等が利用されているが、このような圧着式のハガキであると、２枚のシートが貼り合わされた状態であるため紙面上のスペースが小さいために、表示できる情報に制約があるという短所がある。
更に、２枚のシートが貼り合わせた圧着式のハガキであると、受取人からの申込を受けるため等の返信用の葉書用紙等を同封して送りたい場合でも、同封することができないという不便がある。
【０００４】
また、上記の問題を解決するために、紙面上のスペースを増やして容易に開封可能な冊子状送付物として、例えば参考文献２〜４に記載されているような技術がある。
参考文献２は、冊子の上端と下端が接着されていないため、冊子内に個人情報などが記載されている場合に第三者から盗み見られる危険性があるという問題がある。
また参考文献３、４では、二つ折りされる表紙片および裏表紙片の間に小冊子本体を挟み込んで取り付けるために中綴じ用の金具を使用する必要や、二つ折りされる表紙片および裏表紙片の間に小冊子本体を挟み込んで取り付ける中綴じ工程を行うために高価な製造設備が必要でありコストがかかるなどの問題がある。
【先行技術文献】
【特許文献】
【０００５】
【特許文献１】特開平１０−２６４５５７号公報
【特許文献２】特開２００６−２７２９５５号公報
【特許文献３】特開平９−３９４５０号公報
【特許文献４】特開平７−２７７３４４号公報
【発明の概要】
【発明が解決しようとする課題】
【０００６】
そこで、本発明は、上記の課題に鑑みてなされたものであり、返信用などの葉書を内蔵させることができ、また受取人が開封した後に、内蔵された葉書用紙片部を２つ折りして簡単に葉書で申し込みなどを行なえるようにすると共に、２つ折りして作成した葉書が不正に開封された場合でも、開封されたことが確認できるようにした冊子状送付物を提供することを目的とする。
【課題を解決するための手段】
【０００７】
本発明の冊子状送付物は、略同一寸法を有する封書表紙片と封書裏紙片との間に、前記封書表紙片及び前記封書裏紙片よりも縦横寸法が小さなサイズを有する中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記中綴じ用紙片の一側端縁で接着された綴じ部により一体化されている冊子状送付物であって、前記中綴じ用紙片には、前記一側端縁部と平行に形成された切り取り予定線により区分けされた葉書用紙片部が、前記綴じ部の反対側に設けられ、前記葉書用紙片部は、該葉書用紙片部の略中央部に前記一側端縁部と平行に形成された折り畳み予定線により第１葉書用紙片部と第２葉書用紙片部に区分けされ、前記第２葉書用紙片部の封書表紙片側の面の前記折り畳み予定線と反対側の端辺に沿って帯状に粘着剤１６が設けられ、更に、前記粘着剤１６が設けられていない領域には、バインダー成分と粘着性微球成分の混合からなる再剥離再貼付可能な粘着剤９が設けられ、前記粘着剤１６及び前記再剥離再貼付可能な粘着剤９の上側に、前記粘着剤１６と接触する領域にのみ剥離剤１７を設けた剥離紙が剥離可能に貼付され、前記第１葉書用紙片部には、前記葉書用紙片部を前記折り畳み予定線から２つに折り畳んだ場合に、前記第２葉書用紙片部の前記折り畳み予定線と反対側の端辺に沿って帯状に設けられた粘着剤１６と重なる領域を間に挟んで両側の位置にハーフカットが形成され、
前記封書表紙片と前記封書裏紙片は、前記封書表紙片の三周縁部と、前記封書裏紙片の三周縁部と、が直接重なり合う部分において接着剤により接着され、更に、前記接着剤で接着されている三周縁部を切り取ることができる切り取り予定線が形成されていることを特徴とする。
【０００９】
更に、本発明の冊子状送付物は、前記バインダー成分が、アクリルエマルジョン型粘着剤からなり、前記粘着性微球成分が、微粒子状のメタアクリル酸エステルであることを特徴とする。
【発明の効果】
【００１０】
したがって、本発明の冊子状送付物は、２つ折り用の葉書用紙が内蔵されているので、その内蔵された葉書用紙を使用して葉書で簡単に申し込みなどを行うことができるという効果がある。
更に２つ折り用の葉書用紙で作成された葉書が不正に開封された場合には、葉書の一端辺縁部分に設けられた粘着剤により接着されているハーフカットの部分から紙剥けするために、開封した痕跡が残ることで開封されたことを確認することができ、また紙剥けされた部分も簡単に再接着することができないので、不正があったことを確認できるという効果がある。
【図面の簡単な説明】
【００１１】
【図１】本発明の実施形態に係る冊子状送付物の斜視図である。
【図２】本発明の実施形態に係る冊子状送付物において、封書表紙片をめくり上げた状態を示す斜視図である。
【図３】本発明の実施形態に係る冊子状送付物において、各紙片を分離させた状態を示す斜視図である。
【図４】図１のＡ−Ａ線断面図である。
【図５】図１のＢ−Ｂ線断面図である。
【図６】本発明の実施形態に係る冊子状送付物において、封書表紙片をめくり上げ、葉書用紙片部を切り離した状態を示す斜視図である。
【図７】本発明の実施形態に係る冊子状送付物において、葉書用紙片部から剥離紙を剥離させた状態を示す斜視図である。
【図８】本発明の実施形態に係る冊子状送付物において、葉書用紙片部を２つ折りさせて葉書を作成した状態を示す斜視図である。
【発明を実施するための形態】
【００１２】
以下、本発明の実施形態に係る冊子状送付物１を図面に基づいて詳細に説明する。
図１乃至図３に示すように、本発明の実施形態に係る冊子状送付物１は、略同一寸法を有する矩形形状からなる封書表紙片２と封書裏紙片３との間に、前記封書表紙片２又は前記封書裏紙片３よりも縦横寸法が小さなサイズを有する複数枚の矩形形状からなる中綴じ用紙片４ａ，４ｂが重ね合わされた構成を有している。
尚、この実施形態では、２枚の中綴じ用紙片４ａ，４ｂを備えた形態について説明してあるが、中綴じ用紙片は、使用者の必要に応じて２枚に限らず所望の枚数を用いることができる。
【００１３】
これらの封書表紙片２と複数枚の中綴じ用紙片４ａ，４ｂと封書裏紙片３とは、それぞれ左側の一側端縁で揃えられた状態として重ね合わされている。
上記したように、複数枚の中綴じ用紙片４ａ，４ｂの縦横寸法が、前記封書表紙片２と前記封書裏紙片３の縦横寸法よりも小さなサイズで形成されているので、封書表紙片２の三周縁部と、封書裏紙片３の三周縁部とにおいて、直接接触して重なり合う部分が設けられている。
また、封書表紙片２と複数枚の中綴じ用紙片４ａ，４ｂと封書裏紙片３とは、それら紙片の左側の一側端縁部において、それぞれが接着剤５により接着された綴じ部により一体化されている。
【００１４】
また、図３に示すように、複数枚の中綴じ用紙片４ａ，４ｂのうち少なくとも１枚の中綴じ用紙片４ｂには、前記一側端縁部と平行に形成された切り取り予定線として切り取り用ミシン目６により区分けされた葉書用紙片部７が、前記接着剤５により接着された綴じ部の反対側に設けられている。
葉書用紙片部７には、該葉書用紙片部７の横方向の略中央部に折り畳み予定線として折り用ミシン目８が、前記切り取り用ミシン目６と平行に形成されている。
また、葉書用紙片部７については、図３に示すように、葉書用紙片部７において折り用ミシン目８で左右に２つに区画された左側の部分を第１葉書用紙片部７ａとし、他方である右側の部分を第２葉書用紙片部７ｂとして説明する。
【００１５】
そして、折り用ミシン目８で区画された右側の第２葉書用紙片部７ｂの上面には、再剥離再貼付可能な粘着剤９が塗布されている。
また、再剥離再貼付可能な粘着剤９の上面には、剥離紙１０が剥離可能に貼付されている。
この再剥離再貼付可能な粘着剤９とは、その再剥離再貼付可能な粘着剤９の上面に貼付されている剥離紙１０を剥離させて、折り用ミシン目８から葉書用紙片部７を２つ折りさせて接着剤９により貼着させた後でも、貼着してある葉書用紙片部７を再度剥離することが可能な接着力を有する接着剤であり、従来から公知の接着剤を用いることができる。
【００１６】
この再剥離再貼付可能な粘着剤９は、密着面の密着及び再剥離を容易にするように調整されており、バインダー成分と粘着性微球成分等が混合されている。
バインダー成分は、アクリルエマルジョン型粘着剤等が用いられ、粘着性微球成分には、大きさが１０〜１５０μｍの微粒子状でメタアクリル酸エステル等の材質が使用される。
また、第２葉書用紙片部の封書表紙片側の面の前記折り線と反対側の端辺に沿って帯状に粘着剤１６が帯状に設けられており、その粘着剤１６が設けられていない領域に再剥離再貼付可能な粘着剤９が設けられている。
また、剥離効果を増すために剥離紙１０の裏面であって、第２葉書用紙片部７ｂの上面に設けられた粘着剤１６と接触する領域に剥離剤１７を設けてもよい。
【００１７】
また、第１葉書用紙片部７ａには、葉書用紙片部７を折り用ミシン目８から２つに折り畳んだ場合に、第２葉書用紙片部７ｂの粘着剤１６と重なる領域の両側に沿ってハーフカット１８ａ，１８ｂが平行に形成されている。
この平行に形成されたハーフカット１８ａ，１８ｂは、葉書用紙片部７で２つ折りの葉書を作成する際に、折り用ミシン目８から葉書用紙片部７を２つ折りすることで、粘着剤１６が平行に形成されたハーフカット１８ａ，１８ｂの間の領域部分で接着される部分に形成されている。
上記のようにハーフカット１８ａ，１８ｂを形成することで、仮に第三者が不正に２つ折り葉書を見開いた場合には、平行に形成されたハーフカット１８ａ，１８ｂの間の部分で紙剥けが生じるために、その紙剥けされた状態から、第三者が不正に２つ折り葉書を見開いた痕跡が残るようにしてある。
【００１８】
また、葉書の表面となる葉書用紙片部７ａ又は葉書用紙片部７ｂの表面には、図８に示すように予め葉書の宛先表示１２を印刷させておくことが好ましい。
また、葉書の裏面となる葉書用紙片部７ａ又は葉書用紙片部７ｂの裏面には、図７に示すように予め申込欄１３など所望の印刷をしておくことが好ましい。
封書表紙片２と封書裏紙片３は、封書表紙片２の三周縁部と、封書裏紙片３の三周縁部と、が直接重なり合う領域の部分において接着剤１１により接着され密封封書の状態となっている。
【００１９】
これら封書表紙片２及び封書裏紙片３、中綴じ用紙片４ａ，４ｂに使用する材料としては、例えば、上質紙、コート紙、複写用紙、クラフト紙等、合成紙、ＰＥＴ、ＰＰ等があり、特に限定されないが冊子状送付物の用途により適宜選択することができる。
【００２０】
また、封書表紙片２、中綴じ用紙片４ａ，４ｂ及び封書裏紙片３を接着するために使用する接着剤５，１１を構成する材料としては、アクリル系樹脂、酢酸ビニル系樹脂、ＥＶＡ系樹脂、ウレタン系樹脂などのエマルジョン接着剤などを使用することができる。
【００２１】
また、封書表紙片２と封書裏紙片３は、前記封書表紙片２の三周縁部と、前記封書裏紙片３の三周縁部と、が直接重なり合う部分において接着剤１１により接着されているが、その接着剤１１で接着されている三周縁部を切り取ることができる切り取り予定線として切り取り用ミシン目１９，２０が、封書表紙片２と封書裏紙片３の三周辺に沿ってそれぞれに三方向に形成されている。
【００２２】
次に、本発明の冊子状送付物１の使用方法について説明する。
冊子状送付物１は、図１に示すように封書表紙片２の三周縁部と、封書裏紙片３の三周縁部と、が直接接触した状態で重なり合う部分において、接着剤１１により接着されて、密封された状態として郵送され、または配布される。
次に、冊子状送付物１の受取人は、封書表紙片２と封書裏紙片３に形成されている切り取り用ミシン目１９，２０から三方向を切り取ることで接着された部分を取り除いて開封させる。
そして、開封した後に受取人は、封書表紙片２の裏面や、中綴じ用紙片４ａ及び封書裏紙片３などに記載されている内容を読んだ後に、受取人が、それらの内容に基づいて申し込みを行なう場合には、中綴じ用紙片４ｂの葉書用紙片部７ａに印刷されている申込欄１３などに申し込み内容を記入する。
【００２３】
次に、図７に示すように中綴じ用紙片４ｂに形成されている切り取り用ミシン目６から葉書用紙片部７を切り取り、更に、剥離紙１０を剥離させた後に、折り用ミシン目８から葉書用紙片部７を２つに折りまげて、葉書用紙片部７ａと葉書用紙片部７ｂとを再剥離再貼付可能な粘着剤９と粘着剤１６により貼着することで、図８に示すような葉書１５を作成する。
そして、作成した葉書１５を郵便ポストに投函するなどして郵送させる。
【００２４】
上記のように、本発明の冊子状送付物１は、内部に申込書や返信用葉書が備えられているので、受取人が直ぐに返信用の葉書を用いて申し込みの処理を行うことができるように構成されている。
【符号の説明】
【００２５】
１  冊子状送付物
２  封書表紙片
３  封書裏紙片
４ａ，４ｂ  中綴じ用紙片
５  接着剤
６，１９，２０  切り取り用ミシン目
８  折り用ミシン目
７  葉書用紙片部
７ａ  第１葉書用紙片部
７ｂ  第２葉書用紙片部
９  再剥離再貼付可能な粘着剤
１０  剥離紙
１１  接着剤
１３  申込欄
１５  葉書
１６  粘着剤
１７  剥離剤
１８ａ，１８ｂ  ハーフカット
【図１】
0005857401.tif 000002
【図２】
0005857401.tif 000003
【図３】
0005857401.tif 000004
【図４】
0005857401.tif 000005
【図５】
0005857401.tif 000006
【図６】
0005857401.tif 000007
【図７】
0005857401.tif 000008
【図８】
0005857401.tif 000009